(57)【特許請求の範囲】
【請求項１】
プレーヤーは、ゴルフナビ画面上のホール配置入力画面でホール配置を入力し、ホール配置確認画面で確認し、平均飛距離手動入力画面で前記プレーヤーの各クラブの飛距離を入力し、平均飛距離確認画面で確認し、アンジュレーション入力画面でアンジュレーションを入力し、アンジュレーション確認画面で前記アンジュレーションを確認し、推奨クラブ有り画面上で当該ホールを呼び出し、飛ばしたい目標地点を指でタッチすると、前記推奨クラブ有り画面上に、前記目標地点を経由し、グリーンのホール迄のルートと打数と推奨クラブを表示し、更に、前記プレーヤーが、前記推奨クラブ有り画面上をタッチすると、平均飛距離表画面に表示が切り替わり、前記平均飛距離表画面内の平均飛距離表は、前記ホールまでの残距離数表示、使用クラブの種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球が前記フェアウエイにあるか、前記ラフにあるかの入力情報、打つ前のGPS位置情報と球の落下地点の前記GPS位置情報により毎回、演算し前記平均飛距離表データは、修正記憶され、次回以降のラウンドにも使用する事を特徴とする
ゴルフを楽しむ為に、アドバイスするゴルフナビ
【発明の詳細な説明】
【技術分野】
【０００１】
ゴルフ競技に於いて、最終目的は、グリーンに切ってあるホールに球を入れる事です。そこに様々なドラマが誕生します。
【背景技術】
【０００２】
ゴルフ場側は、グリーン上のホールの位置で、グリーン上の難易度が変化し、
それによりゴルフの楽しみが増えることを良く理解しています。
その為に、グリーン上のホールの位置を日々変化させます。
【０００３】
プレーヤーは、グリーン迄の距離を読み、ホールまでの距離を考え、クラブを選択し、打っていきます。グリーンは、広いので、グリーンに乗ったからといって、喜べません。ホールに近く、攻めやすい位置に球を置くことが重要です。その時一番気になるのが、ホールの位置とホールまでの距離です。
【０００４】
プレーヤーの位置からホールまでの距離のだし方は、距離表示を目安に歩測を入れ、グリーンセンター若しくは、グリーンエッジまでの距離をだし、最後にホール配置表で、ホールの位置を確認し、足し算、引き算しホールまでの最終距離を計算します。
【０００５】
ホールまでの距離を出すのは、大変です。その為に、ホールまでの距離を表示する物が、種々有ります。その中の、一つにゴルフナビが、有ります。
【０００６】
特開2007-307149号は、ゴルフナビに付いてのべられています。
【０００７】
特開2003-061130号は、ゴルフナビが述べられています。
【先行技術文献】
【特許文献】
【０００８】
【特許文献１】特開2007-307149号
【特許文献２】特開2003-061130号
【発明の概要】
【発明が解決しようとする課題】
【０００９】
昨日、随分久し振りにゴルフに行き、大叩きをし、散々な目にあいました。そこで、すぐに、ゴルフナビの最新鋭機を手配しました。入荷して、従来の物とほとんど変わらない事に気づきました。
【００１０】
最新のゴルフナビといえども、教えてくれるのは、グリーンエッジとグリーンセンターまでの距離でした。
【００１１】
ゴルフプレー中に知りたいのは、何ヤード残っているかではなく、自分の飛距離だと、何番のクラブで打てば良い結果が得られるかです。ゴルフプレー中に、ホールまでの残り距離を出し、クラブの選択を瞬時にしてくれるようにすることが課題です。        
【課題を解決するための手段】
【００１２】
プレーヤーが、ゴルフナビ画面上で残距離数を確認し、飛ばしたいルートを指でタッチすると、前記ゴルフナビ画面上に、そのルートを表示し、更に、使用推奨クラブを表示し、詳細を平均飛距離表で確認出来る事を特徴とします。
【００１３】
平均飛距離表は、ホールまでの残距離数表示、使用クラブ１３本の種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球がフェアウエイにあるか、ラフにあるかの入力情報、打つ前のGPS位置情報と球の落下地点のGPS位置情報により毎回演算し修正される事を特徴とします。
プレーヤーが、ゴルフナビ画面上で残距離数を確認し、飛ばしたいルートを指でタッチすると、前記ゴルフナビ画面上に、前記ルートを表示し、更に、使用推奨クラブを表示し、平均飛距離表は、ホールまでの残距離数表示、使用クラブの種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球が前記フェアウエイにあるか、前記ラフにあるかの入力情報、打つ前のGPS位置情報と球の落下地点の前記GPS位置情報により毎回、演算し修正記憶される事を特徴とします。
【００１４】
前記プレーヤーが、前記球を打つと、振動と音が発生し、前記ゴルフナビは、前記振動と前記音をキャッチし、1回カウントし、前記ゴルフナビ画面のスコア表に1を表示し、ホールアウトまで加算し、前記ゴルフナビ画面の前記スコア表に表示する事を特徴とします。
【００１５】
前記プレーヤーが、グリーン上で自分の球の近くに立ち、前記ゴルフナビ画面のグリーン画面上に前記自分の玉の位置とホールの位置をインプットすると、前記ゴルフナビ画面のグリーン画面上に前記自分の玉の位置とホールの位置を結んだラインを表示する事を特徴とします。
【発明の効果】
【００１６】
プレーヤーは、常に、ホールまでの距離とコースを念頭に於いて、プレーに専念でき、スコアアップにつながります。
【図面の簡単な説明】
【００１７】
【図１】ゴルフコースとゴルフナビイメージ図
【図２】平均飛距離表メージ図
【図３】ゴルフコースとゴルフナビイメージ図
【図４】平均飛距離表メージ図
【図５】ゴルフコースとゴルフナビイメージ図
【図６】平均飛距離表メージ図
【図７】スコア表イメージ図
【図８】スコア表イメージ図
【図９】打数カウントイメージ図
【図１０】グリーン上ゴルフナビ画面パットラインメージ図
【図１１】ゴルフナビメニュー画面イメージ図
【図１２】ゴルフナビ推奨クラブ表示画面メージ図
【図１３】ホール配置入力画面イメージ図
【図１４】ホール配置確認画面イメージ図
【図１５】ホール配置確認画面イメージ図
【図１６】ホール配置変更後ナビ画面イメージ図
【図１７】平均飛距離手動入力画面イメージ図
【図１８】平均飛距離手動入力画面イメージ図
【図１９】ショートホールナビ画面イメージ図
【図２０】平均飛距離表確認画面、クラブ選択画面イメージ図
【図２１】平均飛距離表確認画面、クラブ選択画面イメージ図
【図２２】ミドルホールナビ画面イメージ図
【図２３】平均飛距離表確認画面イメージ図
【図２４】ロングホールナビ画面イメージ図
【図２５】打ち損ないイメージ図
【図２６】平均飛距離表確認画面イメージ図
【図２７】途中の表示イメージ図
【図２８】グリーンアンジュレーション測量イメージ図
【図２９】グリーンアンジュレーション入力画面イメージ図
【図３０】グリーンアンジュレーション確認画面イメージ図
【図３１】グリーン上ボールとボールマーカーイメージ図
【図３２】グリーン上ボールとボールマーカーイメージ図
【図３３】パットラインイメージ図
【図３４】パットラインイメージ図
【図３５】ボールマーカーイメージ図
【図３６】ボールマーカーイメージ図
【図３７】ボールマーカー傾斜位置入力画面イメージ図
【図３８】ボールマーカー傾斜度通信イメージ図
【符号の説明】
【００１８】
１            １打目      
２            ２打目
３            ホール
４            ゴルフナビ
５            推奨クラブ  １W
６            推奨クラブ  ７I
７            平均飛距離表画面
８            平均飛距離表
９            フェアウエイ選択
１０          ラフ選択
１１          推奨クラブ  １W  ２２０Y
１２          推奨クラブ  ７I  １３５Y
１３          ２打目  ７W    
１４          ３打目   PW
１５          ホール
１６          ゴルフナビ
１７          ２打目  ７W
１８          ３打目   PW
１９          平均飛距離表画面
２０          推奨クラブ  ７W  １７５Y
２１          推奨クラブ   PW    ８５Y
２２          ２打目  ５W
２３          ３打目   PW
２４          ホール
２５          ゴルフナビ
２６          推奨クラブ  ５W  １７５Y
２７          推奨クラブ   PW    ８５Y
２８          平均飛距離表画面
２９          推奨クラブ  ５W  １７５Y
３０          推奨クラブ   PW    ８５Y
３１          スコア表
３２            ホール配置表
３３            ホール配置入力画面
３４            ホール配置入力確認画面
３５            平均飛距離手動入力画面
３６            決定
３７            推奨クラブ
３８            上下
３９            飛距離
４０            ゴルフナビ
４１            平均飛距離表確認画面
４２            グリーン面
４３            グリーン側面  
４４            アンジュレーション入力画面
４５            アンジュレーション確認画面
４６            ホール
４７            球
４８            ボールマーカー
【発明を実施するための形態】
【実施例１】
【００１９】
以下、本発明の実施の形態を図に基づいて説明する。
図１は、ゴルフナビ４の画面では、ホールまで３５５ヤードを表示しています。プレーヤーは、１、２、３のコースを想定し、ナビの画面で、６をタッチし、
５→６→カップのラインがナビの画面にでました。
それと同時に、１打目1番ウッド、２打目７番アイアンの推奨クラブのリストが出ました。プレーヤーが、ゴルフナビ画面上で残距離数を確認し、飛ばしたい目標方向を指でタッチすると、前記ゴルフナビ画面上に、その目標方向ルートを表示し、更に、使用推奨クラブを表示し、詳細を平均飛距離表で確認出来る事を特徴とします。
【００２０】
図２は、平均飛距離表画面７です。平均飛距離表８は、カップまでの残距離数表示、使用クラブ１３本の種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球がフェアウエイ９にあるか、ラフ１０にあるかの入力情報、打つ前のGPS位置情報と球の落下地点のGPS位置情報により毎回演算し修正される事を特徴とします。現在の表は、球が、フェアウエイにあるときの、各クラブの平均飛距離がでています。推奨クラブは、1番ウッド２２０ヤード１１、７番アイアン１３５ヤード１２で出ています。
【００２１】
図３は、図１で打った球が、当たりそこないで、１３の位置に行きました。ゴルフナビ１６のフェアウエイ１７の位置にあります。ゴルフナビ１６は、残距離数２６０ヤードを表示しています。プレーヤーは、１３、１４、１５のルートを選択し、ゴルフナビ
１６の１８番の位置をタッチします。推奨クラブは、２打目７番ウッド、３打目ピッチングを表示しています。
【００２２】
図４は、平均飛距離表１９です。フェアウエイに球がありますので、平均飛距離は、フェアウエイからのデータに成っています。残距離数２６０ヤードに対して、推奨クラブは、２打目  ７番ウッド  １７５ヤード２０、３打目  ピッチング８５ヤード２１を表示しています。
【００２３】
図５は、図１で打った球が、当たりそこないで、２２の位置に行きました。ゴルフナビ２５のラフ２６の位置にあります。ゴルフナビ２５は、残距離数２６０ヤードを表示しています。プレーヤーは、２２、２３、２４のルートを選択し、ゴルフナビ
２５の２７番の位置をタッチします。推奨クラブは、２打目５番ウッド、３打目ピッチングを表示しています。
【００２４】
図６は、平均飛距離表２８です。ラフに球がありますので、平均飛距離は、ラフからのデータに成っています。残距離数２６０ヤードに対して、推奨クラブは、２打目  ５番ウッド  １７５ヤード２９、３打目  ピッチング８５ヤード３０を表示しています。
【実施例２】
【００２５】
プレーヤーが、ゴルフナビ画面上で残距離数を確認し、飛ばしたい目標方向を指でタッチすると、前記ゴルフナビ画面上に、前記目標方向ルートを表示し、更に、使用推奨クラブを表示し、平均飛距離表は、ホールまでの残距離数表示、使用クラブの種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球が前記フェアウエイにあるか、前記ラフにあるかの入力情報、打つ前のGPS位置情報と球の落下地点の前記GPS位置情報により毎回、演算し修正記憶される事を特徴とします。
【００２６】
前記プレーヤーが、前記球を打つと、振動と音が発生し、前記ゴルフナビは、前記振動と前記音をキャッチし、1回カウントし、前記ゴルフナビ画面のスコア表に1を表示し、以後、ホールアウトまで加算し、前記ゴルフナビ画面の前記スコア表に表示する事を特徴とします。図７は、ゴルフナビ画面のスコア表３１のイメージです。現在アウトコースの5番ホール迄終わり、今から、6番ホールをスタートする状態で有ることがスコア表３１でわかります。1番ホールは、パー４の所を５打であがっていますので、１オーバーに成っています。現在のスコアとオーバー数が自動で入力し、スコア表に表示します。
【００２７】
図８は、アウトコースからインコースを周り、全て回り終わった時点のスコア表のイメージ図です。
【００２８】
図９は、スイングやパターをする時の体の振動と球とクラブ先端の打音で、ゴルフナビは、１カウントします。このスコア表では、6番ホールの１打目を打った事がわかります。いずれのホールもティーグランドに立つと、スコア表で次のホールにデータ表示が変わります。
【００２９】
図１０は、グリーン上でのゴルフナビ画面です。グリーン上でホールの位置と自分の球の位置を画面上にインプットするとゴルフナビに入力済みのグリーン傾斜やアンジュレーションによりゴルフナビ画面上にパットラインを表示します。プレーヤーが、グリーン上で自分の球の近くに立ち、前記ゴルフナビ画面のグリーン画面上に前記自分の玉の位置とホールの位置をインプットすると、前記ゴルフナビ画面のグリーン画面上に前記自分の玉の位置とピンホールの位置を結んだラインを表示する事を特徴とします。プレーヤーは、表示されたパットラインを参考にパットします。
【実施例３】
【００３０】
先日、随分久し振りにゴルフに行き、大叩きをし、散々な目にあいました。そこで、すぐに、ゴルフナビの最新鋭機を手配しました。入荷して、従来の物とほとんど変わらない事に気づきました。
【００３１】
最新のゴルフナビといえども、教えてくれるのは、打つ場所からグリーンエッジとグリーンセンターまでの距離でした。ところが、実際は、ゴルフ場からホール配置図もしくは、配置表を渡されます。それは、全てのグリーン上のホールの配置図です。その配置図は、ホールの位置が詳細に書かれています。グリーンセンターを基準に、右５Y  上に+15Yや左１０Y  下に-１０Y、中  上に８Y等の表現が各ホールでなされています。グリーンが近づいてきて、アプローチの場面では、非常に大事なデータです。しかし、現在のゴルフナビはこのデータを入力出来ません。コースを回りながら、ホールまでの距離は、ゴルフナビの現在値に配置図のデータを足し算引き算して考えています。ゴルフのラウンド中に、ゴルフナビを見ながら、ホール迄の残りの距離を計算しています。
【００３２】
ゴルフプレー中に知りたいのは、何ヤード残っているかではなく、自分の飛距離だと、何番のクラブで打てば良い結果が得られるかです。ゴルフプレー中に、ホールまでの残り距離を出し、何番のクラブで打てば良いか、クラブの選択を瞬時にしてくれるようにすることです。        
【００３３】
そして、グリーンに乗ったら、迷わずパットが出来る様な、情報を与えてくれるゴルフナビを持つことが課題です。
【００３４】
ゴルフナビは、通常ナビ画面、推奨クラブ有り画面、ホール配置入力画面、ホール配置確認画面、グリーン傾斜入力画面、グリーン傾斜確認画面、アンジュレーション入力画面、アンジュレーション確認画面、平均飛距離手動入力画面、平均飛距離確認画面を有する事を特徴とする。
【００３５】
プレーヤーは、ゴルフナビ画面上の前記ホール配置入力画面でホール配置を入力し、前記ホール配置確認画面で確認し、前記平均飛距離手動入力画面で前記プレーヤーの各クラブの飛距離を入力し、平均飛距離確認画面で確認し、前記アンジュレーション入力画面でアンジュレーションを入力し、前記アンジュレーション確認画面で前記アンジュレーションを確認し、前記推奨クラブ有り画面上で当該ホールを呼び出し、飛ばしたい目標地点を指でタッチすると、前記推奨クラブ有り画面上に、前記目標地点を経由し、グリーンのホール迄のルートと打数と推奨クラブを表示し、更に、前記プレーヤーが、前記推奨クラブ有り画面上をタッチすると、平均飛距離表画面に表示が切り替わり、前記平均飛距離表画面内の平均飛距離表は、前記ホールまでの残距離数表示、使用クラブの種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球が前記フェアウエイにあるか、前記ラフにあるかの入力情報、打つ前のGPS位置情報と球の落下地点の前記GPS位置情報により毎回、演算し前記平均飛距離表データは、修正記憶され、次回以降のラウンドにも使用する事を特徴とする。
【００３６】
前記球が前記グリーンに乗ると前記球と前記ホールを結んだライン上で、前記ホールより遠い方で前記球の後方にボールマーカーの中心矢印線を前記ホールに向けて、前記グリーンの傾斜なりに置き、前記球を拾い上げ、前記ボールマーカーは、気泡を内蔵し、前記気泡が、外側から見える、透明のもので、前記外側に前記ホールに方向を合わせる為の中心矢印線1本と傾斜量を見るために、円が同心円状に数個描かれ、前記傾斜量により前記気泡が内部で全方向に移動量が変化し、前記ボールマーカーの前記気泡の傾斜量を目視で読み取る手動式と無線でデータ送信する無線発信式が有り、前記ボールマーカーが、前記手動式の時は、前記ボールマーカーの前記気泡の前記傾斜量を目視で読み取り、前記グリーン傾斜入力画面に入力し、前記アンジュレーション確認画面を読み出し、前記ホールの配置と前記グリーンのアンジュレーションが表示されたアンジュレーション画面に前記球の位置を指でタッチすると、前記アンジュレーション画面上に、前記球の位置が表示され、前記ホールと前記球とを結んだパットラインと距離が、前記ホールの配置、前記球の位置と前記傾斜量を元にゴルフナビ内部で演算され、前記アンジュレーション画面上に表示され、前記ボールマーカーが、無線発信式の時は、グリーン傾斜情報を電気信号に変換し、無線で前記ゴルフナビに送り、前記ゴルフナビは、傾斜情報を受信し、前記アンジュレーション確認画面を読み出し、前記ホールの位置と前記グリーンの前記アンジュレーションが表示された前記アンジュレーション画面に前記球の位置を指でタッチすると、前記アンジュレーション画面上に、前記球の位置が表示され、前記ホールと前記球とを結んだパットラインと距離が、前記ホールの位置、前記球の位置と前記傾斜情報を元にゴルフナビ内部で演算され、前記アンジュレーション画面上に表示され、前記プレーヤーは、前記球を元の場所に置き、前記ボールマーカーを拾い上げ、表示されたラインと距離に合わせてパットをする事を特徴とする。
【００３７】
プレーヤーは、常に、カップまでの距離とコースを念頭に於いて、プレーに専念でき、スコアアップにつながります。
【００３８】
以下、本発明の実施の形態を図に基づいて説明する。
図１１は、今回発明するゴルフナビ４０のメニュー画面です。
ナビ、グリーン、飛距離の3つのグループに分かれています。
ゴルフナビ４０は、通常ナビ画面、推奨クラブ有り画面、ホール配置入力画面、ホール配置確認画面、グリーン傾斜入力画面、グリーン傾斜確認画面、アンジュレーション入力画面、アンジュレーション確認画面、平均飛距離手動入力画面、平均飛距離確認画面を有する事を特徴とする。
【００３９】
これから述べるゴルフナビ４０の機能は、全て、現在の通常ナビには、有りません。全てが、新機能です。新機能をのべていきます。
【００４０】
プレーヤーは、ゴルフナビ４０画面上の前記ホール配置入力画面でホール配置を入力し、前記ホール配置確認画面で確認し、前記平均飛距離手動入力画面で前記プレーヤーの各クラブの飛距離を入力し、平均飛距離確認画面で確認し、前記推奨クラブ有り画面上で当該ホールを呼び出し、飛ばしたい目標地点を指でタッチすると、前記推奨クラブ有り画面上に、前記目標地点を経由し、グリーンのホール迄のルートと打数と推奨クラブを表示します。
【００４１】
更に、前記プレーヤーが、前記推奨クラブ有り画面上をタッチすると、平均飛距離表画面に表示が切り替わり、前記平均飛距離表画面内の平均飛距離表は、前記ホールまでの残距離数表示、使用クラブの種類、前記使用クラブ毎の平均飛距離、前記使用推奨クラブ、前記使用推奨クラブの飛距離、球がフェアウエイにあるか、ラフにあるかの入力情報と情報表示が有り、前記平均飛距離は、前記使用クラブの選択入力、前記球が前記フェアウエイにあるか、前記ラフにあるかの入力情報、打つ前のGPS位置情報と球の落下地点の前記GPS位置情報により毎回、演算し前記平均飛距離表データは、修正記憶され、次回以降のラウンドにも使用する事を特徴とする。
【００４２】
今迄のゴルフナビの問題点は、ホールの位置がグリーンセンターにしか配置されてないことです。しかし、実際は、ホールがグリーンのどこにでも配置され、コーススタート前に、ゴルフ場から、ホール配置表４２が手渡されます。しかし、今までのゴルフナビには、入力出来ませんが、今回のゴルフナビ４０は、ホール配置入力画面３３が準備され、確認もできます。
図１２は、ナビ画面４０が、表示されています。1番ホールは、グリーンセンター迄３５５Yで、１打目１番ウッド、２打目７番アイアンで推奨クラブが表示されています。現在のナビでは、この推奨クラブの表示は、ありません。ここで問題は、グリーンセンターまでが、３５５Yに成っています。
【００４３】
図１３は、ゴルフ場から提示されるホール配置表３２です。スタート前に今日のホール配置表３２として渡されます。その配置表データを今迄のナビでは、入力出来ません。今回のナビ４０は、ホール配置入力画面３３で入力出来ます。1番ホールは、ピンの位置が、真中で＋１５に成っています。従って、現在のセンターの距離で３５５Yに１５Yプラスに成り、データ入力後は、３７０Yにならなければなりません。日本国内のゴルフ場のグリーン迄の距離の表示が2種類有ります。グリーンセンター迄の表示とグリーンエッジ迄の表示の２種類です。入力方式も図１３のように2種類に成ります。
【００４４】
図１４は、ホール配置確認画面３４です。1番ホールは、真中で１５＋になっています。
【００４５】
図１５は、ホール配置確認画面３４です。一部グリーン４２をアンジュレーション有り表示にしています。
【００４６】
図１６は、ホール位置変更後ナビ画面です。グリーン迄の距離が、３７０Yになっています。ピンホールデータ入力前は、グリーンセンターにホールがありましたので、図１２  ３５５Yでした。２打目７番アイアンが、距離が伸びたので、6番アイアンに自動で変更に成っています。推奨クラブ選択機能が、残距離数により、最適のクラブを選択します。
【００４７】
図１７は、平均飛距離手動入力画面３５です。各クラブの可能飛距離を入力します。プレーヤー自身のデータを打ち込んでいきます。決定３６、推奨クラブ３７、上下３８、飛距離３９の選択ボタンがあります。
【００４８】
図１８は、平均飛距離手動入力画面３５にデータを入れ込んだ表です。
【００４９】
図１９は、ショートホールナビ画面で、距離１４５Y  で、６番アイアンを自動で推奨してきましたが、迎え風が強いので、図２０平均飛距離表４１に移り、図１９から図２０において１５５Yで、5番アイアンを選択し、決定ボタンを押します。
【００５０】
図２０は、残距離１４５Yで、検索しています。１４５Y  ６番アイアンになっています。
【００５１】
図２１は、平均飛距離表確認画面４１、クラブ選択画面で迎え風が強いので、１５５Yで、5番アイアンを選択し、決定ボタンを押す。
【００５２】
図２２は、図１２のグリーンセンター３５５Yをホール条件＋１５が、プラスされて、３７０Yになり、２打目も７番アイアンから6番アイアンに変わっています。
【００５３】
図２３は、平均飛距離表確認画面４１です。全体距離３７０Y  １打目  1番ウッド２２０Y  ２打目  6番アイアン  １４５Yになっています。
【００５４】
図２４は、ロングホール５２０Yです。推奨クラブ３７は、１打目  1番ウッド、２打目  ７番ウッド、３打目８番アイアンを推奨しています。
【００５５】
図２５は、１打目が、ミスで左に飛んでいき、残距離２６０Yをゴルフナビは、表示しています。検索を押すと推奨クラブ３７  ２打目5番ウッド、３打目ピッチングを推奨しています。もう１度検索を押すと、図２６平均飛距離表確認画面４１に画面が移り、残距離２６０Yに対して、5番ウッド１７５Y、ピッチング８５Yで検討されています。納得ができず、変更するときは、自由に変更します。クラブの選択変更は、いつでも自由です、飽くまでプレーヤーが、納得ができれば、決定を押して、図２５に戻り、ゲームを続行します。
【００５６】
図２７は、グリーンセンターから-１０Yで右５Yのところにホールがあります。
B地点からグリーンエッジ迄７０Y、ホールまで８５Yを表示しています。従来のナビだと９５Yを表示しますので、１０Y引き算をする必要が有りますが、ゴルフナビ４０は、ホール情報を事前に入れていますので、８５Y表示に対して安心して打っていけば、良い結果に繋がります。
【００５７】
図２８は、グリーンアンジュレーションを登録するために測量して、データを作り、アンジュレーション入力画面で入力します。距離の基準は、グリーンセンターとし、グリーンセンターに十字を引き、図１３のホール配置表３２、３３と同じ考え方で、向かって右側を右グリーン、左側を左グーン、グリーンセンターから右にセンターから１Y、２Y、3Y・・・と増えていきます。左側もセンターから左に、1Y、２Y、３Y・・・と増えていきます。グリーンセンターから奥側に＋１Y、＋２Y、＋３Y・・・と増えていきます。グリーンセンターから手前側は、グリーンセンターから手前側に-1Y、-2Y、-3Y・・・と減っていきます。高低差は、グリーン４２面上で一番低いところを基準０点としプラス表示で高さを表示します。この方式で測定しデータを作成します。
【００５８】
図２９のアンジュレーション入力画面４４でアンジュレーションデータを入力し、図３０のアンジュレーション確認画面４５で入力した、アンジュレーション画面を確認します。
【００５９】
ゴルフは、厳しいルールが決められています。それが、ノータッチルールです。スタートして、グリーン面４２に乗るまで、プレーヤーは、球４７に触れられません。球４７が、グリーン面４２に乗ると、決められたルールでボールマーカー４８を球４７の代わりに、グリーン面４２に置き、球４７を拾い上げ、球４７を綺麗に吹くことができます。
球４７がグリーン面４２に乗ると球４７とホール４６を結んだライン上で、ホール４６より遠い方で球４７の後方直近に球４７の代わりに、ボールマーカー４８を置き、球４７を拾い上げます。
【００６０】
図３１は、グリーン面４２に球４６が乗ったときのボールマーカー４７の置き方です。ホール４６と球４７を結んだ線上の球４７の後ろ直近にボールマーカー４８を置き、球４７を拾い上げます。
【００６１】
図３２は、側面よりボールマーカー４８の置き方を表現しています。
【００６２】
図３３のボールマーカー４８の中には、気泡が密封されています。上り、下りに置く事で、傾斜により気泡が移動しています。
【００６３】
図３４は、ボールマーカー４８が、右左に傾斜しています。
【００６４】
図３５は、ボールマーカー４８が、上下左右に傾斜しています。
【００６５】
図３６は、ボールマーカー４８のイメージ図です。ボールマーカー４８は、気泡を内蔵し、前記気泡が、外側から見える、透明のもので、前記外側に前記ホールに方向を合わせる為の中心矢印線1本と傾斜量を見るために、円が同心円状に数個描かれ、前記傾斜量により前記気泡が内部で全方向に移動量が変化し、前記ボールマーカーの前記気泡の傾斜量を目視で読み取る手動式と無線でデータ送信する無線発信式が有ります。上下左右に傾斜している時に目視するイメージが4つ描かれています。上の左の図は、上り左傾斜です。上の右の図は、上り右傾斜です。下の左の図は、下り左傾斜です。下の右の図は、下り右傾斜です。手動式は目視で傾斜データを読み取ります。
【００６６】
図３７は、ボールマーカー４８が、手動式の時は、ボールマーカー４８の気泡の傾斜量を目視で読み取り、グリーン傾斜入力画面に入力し、アンジュレーション確認画面を読み出し、ホール４６の位置とグリーン面４２のアンジュレーションが表示されたアンジュレーション画面に球４７の位置を指でタッチすると、アンジュレーション画面上に、球４７の位置が表示され、ホール４６と球４７とを結んだパットラインと距離が、前記ホールの位置、前記球の位置と前記傾斜量を元にゴルフナビ内部で演算され、アンジュレーション画面上に表示されます。ホール４６迄の距離は、ホール４６の配置表を図１３で入力する事で、グリーン場でもゴルフナビ４０が持っているホール迄の距離情報が、正確であり、有効活用できます。
【００６７】
無線でデータ送信する無線発信式が有ります。
図３８は、ボールマーカー４８が、無線発信式の時は、グリーン傾斜情報を微小電気信号に変換し、微小電流の変化を増幅し、データをゴルフナビ４０に無線で送信します。ゴルフナビ４０は、傾斜情報を受信し、アンジュレーション確認画面４５を読み出し、ホール４６の位置とグリーン面４２のアンジュレーションが表示されたアンジュレーション確認画面４５に球４７の位置を指でタッチすると、アンジュレーション確認画面上４５に、球の位置が表示され、ホールと球とを結んだパットラインと距離が、前記ホールの位置、前記球の位置と前記傾斜情報を元にゴルフナビ内部で演算され、アンジュレーション画面上に表示され、プレーヤーは、球４７をボールマーカー４８の有る、元の場所に置き、ボールマーカー４８を拾い上げ、ゴルフナビ４０に表示されたラインと距離に合わせてパットをします。
【要約】 
【課題】
ゴルフプレー中に、ピンホールまでの残り距離を出し、クラブの選択を瞬時にしてくれるようにすることが課題です。        
【解決手段】  
今迄のゴルフナビの問題点は、ホールの位置がグリーンセンターにしか配置されてないことです。しかし、実際は、ホールがグリーンのどこにでも配置され、コーススタート前に、ゴルフ場から、ホール配置表が手渡されます。しかし、今までのゴルフナビには、入力出来ませんが、今回のゴルフナビ４０は、ホール配置入力画面が準備され、確認もできます。
図１６は、ホール配置変更後ナビ画面です。グリーン迄の距離が、３７０Yになっています。ピンホールデータ入力前は、グリーンセンターにホールがありましたので、図１２  ３５５Yでした。２打目７番アイアンが、距離が伸びたので、6番アイアンに自動で変更に成っています。推奨クラブ選択機能が、残距離数により、最適のクラブを選択します。
【選択図】  図１６【図１】
0005848489.tif 000002
【図２】
0005848489.tif 000003
【図３】
0005848489.tif 000004
【図４】
0005848489.tif 000005
【図５】
0005848489.tif 000006
【図６】
0005848489.tif 000007
【図７】
0005848489.tif 000008
【図８】
0005848489.tif 000009
【図９】
0005848489.tif 000010
【図１０】
0005848489.tif 000011
【図１１】
0005848489.tif 000012
【図１２】
0005848489.tif 000013
【図１３】
0005848489.tif 000014
【図１４】
0005848489.tif 000015
【図１５】
0005848489.tif 000016
【図１６】
0005848489.tif 000017
【図１７】
0005848489.tif 000018
【図１８】
0005848489.tif 000019
【図１９】
0005848489.tif 000020
【図２０】
0005848489.tif 000021
【図２１】
0005848489.tif 000022
【図２２】
0005848489.tif 000023
【図２３】
0005848489.tif 000024
【図２４】
0005848489.tif 000025
【図２５】
0005848489.tif 000026
【図２６】
0005848489.tif 000027
【図２７】
0005848489.tif 000028
【図２８】
0005848489.tif 000029
【図２９】
0005848489.tif 000030
【図３０】
0005848489.tif 000031
【図３１】
0005848489.tif 000032
【図３２】
0005848489.tif 000033
【図３３】
0005848489.tif 000034
【図３４】
0005848489.tif 000035
【図３５】
0005848489.tif 000036
【図３６】
0005848489.tif 000037
【図３７】
0005848489.tif 000038
【図３８】
0005848489.tif 000039